(57)【要約】【課題】既存設備を活かしつつ、より確実に緊急警報をユーザに通知できるようにする。【解決手段】デジタル放送受信機１００は、デジタル放送波を受信するチューナ部１１０と、アナログ電話回線４００を介してアナログ電話機と通信可能なモデム部１５０と、チューナ部１１０及びモデム部１５０を制御するＣＰＵ１４０とを具備し、ＣＰＵ１４０は、チューナ部１１０が受信したデジタル放送波から緊急警報情報が検出された場合に、アナログ電話機に対する発呼を行うようモデム部１５０を制御し、アナログ電話機との間で呼が確立された場合に、緊急警報情報に基づく音声信号をアナログ電話機に送出するようモデム部１５０を制御する。【選択図】図２
2012054770.tif 000002
【特許請求の範囲】
【請求項１】
アナログ電話回線に接続される少なくとも１つのアナログ電話機と、
前記アナログ電話回線に接続されるデジタル放送受信機とを具備し、
前記デジタル放送受信機は、
デジタル放送波を受信する放送受信部と、
前記アナログ電話回線を介して前記アナログ電話機と通信可能な回線通信部と、
前記放送受信部及び前記回線通信部を制御する制御部とを具備し、
前記制御部は、
前記放送受信部が受信したデジタル放送波から緊急警報情報が検出された場合に、前記アナログ電話機に対する発呼を行うよう前記回線通信部を制御し、
前記アナログ電話機との間で呼が確立された場合に、前記緊急警報情報に基づく音声信号を前記アナログ電話機に送出するよう前記回線通信部を制御することを特徴とする緊急警報通知システム。
【請求項２】
前記デジタル放送受信機は、キーワードを記憶する記憶部をさらに具備し、
前記制御部は、前記緊急警報情報が検出されたデジタル放送波に含まれる音声部分及び／又は字幕部分から、前記記憶部に記憶されたキーワードが検出された場合にのみ、前記アナログ電話機に対する発呼を行うよう前記回線通信部を制御することを特徴とする請求項１に記載の緊急警報通知システム。
【請求項３】
前記デジタル放送受信機は、アナログ電話機の電話番号をキーワードと対応付けて記憶する記憶部をさらに具備し、
前記制御部は、前記緊急警報情報が検出されたデジタル放送波に含まれる音声部分及び／又は字幕部分から、前記記憶部に記憶されたキーワードが検出された場合に、検出されたキーワードと対応する電話番号を有するアナログ電話機に対する発呼を行うよう前記回線通信部を制御することを特徴とする請求項１に記載の緊急警報通知システム。
【請求項４】
前記制御部は、前記アナログ電話機との間で呼が確立された場合に、前記緊急警報情報が検出されたデジタル放送波に含まれる音声部分から得られた音声信号を前記アナログ電話機に送出するよう前記回線通信部を制御することを特徴とする請求項１〜３の何れか一項に記載の緊急警報通知システム。
【請求項５】
前記制御部は、前記アナログ電話機との間で呼が確立された場合に、前記緊急警報情報が検出されたデジタル放送波に含まれる音声部分から得られた音声信号と、前記緊急警報情報が検出されたデジタル放送波に含まれる字幕部分を音声変換して得られた音声信号とを前記アナログ電話機に交互に送出するよう前記回線通信部を制御することを特徴とする請求項１〜４の何れか一項に記載の緊急警報通知システム。
【請求項６】
前記デジタル放送受信機は、前記アナログ電話機が設けられる施設外に設けられることを特徴とする請求項１〜５の何れか一項に記載の緊急警報通知システム。
【請求項７】
アナログ電話回線を介して少なくとも１つのアナログ電話機に接続されるデジタル放送受信機であって、
デジタル放送波を受信する放送受信部と、
前記アナログ電話回線を介して前記アナログ電話機と通信可能な回線通信部と、
前記放送受信部及び前記回線通信部を制御する制御部とを具備し、
前記制御部は、
前記放送受信部が受信したデジタル放送波から緊急警報情報が検出された場合に、前記アナログ電話機に対する発呼を行うよう前記回線通信部を制御し、
前記アナログ電話機との間で呼が確立された場合に、前記緊急警報情報に基づく音声信号を前記アナログ電話機に送出するよう前記回線通信部を制御することを特徴とするデジタル放送受信機。
【請求項８】
アナログ電話回線を介して少なくとも１つのアナログ電話機に接続されるデジタル放送受信機が、デジタル放送波を受信するステップと、
前記デジタル放送受信機が、受信したデジタル放送波から緊急警報情報を検出した場合に、前記アナログ電話機に対する発呼を行うステップと、
前記デジタル放送受信機が、前記アナログ電話機との間で呼が確立された場合に、前記緊急警報情報に基づく音声信号を前記アナログ電話機に送出するステップと
を具備することを特徴とする緊急警報通知方法。
【発明の詳細な説明】
【技術分野】
【０００１】
本発明は、緊急警報を通知する緊急警報通知システム、デジタル放送受信機、及び緊急警報通知方法に関する。
【背景技術】
【０００２】
近年、地震や津波等の災害に関する緊急警報を携帯電話網やデジタルテレビジョン放送を用いてユーザに通知する緊急警報通知システムが実用化されている。
【０００３】
携帯電話網を用いて緊急警報を通知する緊急警報通知システムでは、緊急警報用のメッセージ（電子メール等）を携帯電話網から携帯電話機に送信し、当該メッセージを受信した携帯電話機は、緊急警報をユーザに提示する。
【０００４】
デジタルテレビジョン放送を用いて緊急警報を通知する緊急警報通知システムでは、緊急警報情報を含んだデジタル放送波を放送局から放送し、緊急警報情報を含んだデジタル放送波を受信したデジタル放送受信機は、緊急警報をユーザに提示する（例えば特許文献１参照）。
【先行技術文献】
【特許文献】
【０００５】
【特許文献１】特開２０１０−８１０８７号公報
【発明の概要】
【発明が解決しようとする課題】
【０００６】
しかしながら、携帯電話網を用いて緊急警報を通知する緊急警報通知システムでは、携帯電話機が電波圏外に位置する場合や、携帯電話機の電源がオフである場合には、緊急警報をユーザに通知できない問題があった。
【０００７】
また、デジタルテレビジョン放送を用いて緊急警報を通知する緊急警報通知システムでは、デジタル放送受信機が設置されていない場所や停電時には、緊急警報をユーザに通知できない問題があった。
【０００８】
そこで、本発明は、既存設備を活かしつつ、より確実に緊急警報をユーザに通知できる緊急警報通知システム、デジタル放送受信機、及び緊急警報通知方法を提供することを目的とする。
【課題を解決するための手段】
【０００９】
上述した課題を解決するために、本発明は以下のような特徴を有している。まず、本発明に係る緊急警報通知システム（緊急警報通知システム１）の特徴は、アナログ電話回線（アナログ電話回線４００）に接続される少なくとも１つのアナログ電話機（アナログ電話機２００）と、前記アナログ電話回線に接続されるデジタル放送受信機（デジタル放送受信機１００）とを具備し、前記デジタル放送受信機は、デジタル放送波を受信する放送受信部（チューナ部１１０）と、前記アナログ電話回線を介して前記アナログ電話機と通信可能な回線通信部（モデム部１５０）と、前記放送受信部及び前記回線通信部を制御する制御部（ＣＰＵ１４０）とを具備し、前記制御部は、前記放送受信部が受信したデジタル放送波から緊急警報情報が検出された場合に、前記アナログ電話機に対する発呼を行うよう前記回線通信部を制御し、前記アナログ電話機との間で呼が確立された場合に、前記緊急警報情報に基づく音声信号を前記アナログ電話機に送出するよう前記回線通信部を制御することを要旨とする。
【００１０】
このような特徴によれば、デジタルテレビジョン放送による緊急警報に基づき、既存のアナログ電話機を用いて緊急警報を通知できる。アナログ電話回線は最も一般的な電話回線であり、広く普及している。また、アナログ電話回線は有線回線であり、アナログ電話機は携帯電話機のように電波圏外にならない。さらに、アナログ電話機は、アナログ電話回線からの給電（いわゆる局給電）によって、停電時でも使用可能であるため、停電時でも緊急警報を通知可能である。従って、上記特徴に係る緊急警報通知システムによれば、既存設備を活かしつつ、より確実に緊急警報をユーザに通知できる。
【００１１】
本発明に係る緊急警報通知システムの他の特徴は、上記特徴に係る緊急警報通知システムにおいて、前記デジタル放送受信機は、キーワードを記憶する記憶部（フラッシュメモリ１３１）をさらに具備し、前記制御部は、前記緊急警報情報が検出されたデジタル放送波に含まれる音声部分及び／又は字幕部分から、前記記憶部に記憶されたキーワードが検出された場合にのみ、前記アナログ電話機に対する発呼を行うよう前記回線通信部を制御することを要旨とする。
【００１２】
このような特徴によれば、通知が必要な緊急警報（すなわち、重要度の高い緊急警報）に限って通知を行うようにすることができる。
【００１３】
本発明に係る緊急警報通知システムの他の特徴は、上記特徴に係る緊急警報通知システムにおいて、前記デジタル放送受信機は、アナログ電話機の電話番号をキーワードと対応付けて記憶する記憶部（フラッシュメモリ１３１）をさらに具備し、前記制御部は、前記緊急警報情報が検出されたデジタル放送波に含まれる音声部分及び／又は字幕部分から、前記記憶部に記憶されたキーワードが検出された場合に、検出されたキーワードと対応する電話番号を有するアナログ電話機に対する発呼を行うよう前記回線通信部を制御することを要旨とする。
【００１４】
このような特徴によれば、緊急警報の内容に応じて当該緊急警報の通知先のアナログ電話機を選択可能になる。
【００１５】
本発明に係る緊急警報通知システムの他の特徴は、上記特徴に係る緊急警報通知システムにおいて、前記制御部は、前記アナログ電話機との間で呼が確立された場合に、前記緊急警報情報が検出されたデジタル放送波に含まれる音声部分から得られた音声信号を前記アナログ電話機に送出するよう前記回線通信部を制御することを要旨とする。
【００１６】
このような特徴によれば、具体的な緊急警報の内容をユーザに通知可能になる。
【００１７】
本発明に係る緊急警報通知システムの他の特徴は、上記特徴に係る緊急警報通知システムにおいて、前記制御部は、前記アナログ電話機との間で呼が確立された場合に、前記緊急警報情報が検出されたデジタル放送波に含まれる音声部分から得られた音声信号と、前記緊急警報情報が検出されたデジタル放送波に含まれる字幕部分を音声変換して得られた音声信号とを前記アナログ電話機に交互に送出するよう前記回線通信部を制御することを要旨とする。
【００１８】
このような特徴によれば、より具体的な緊急警報の内容をユーザに通知可能になる。
【００１９】
本発明に係る緊急警報通知システムの他の特徴は、上記特徴に係る緊急警報通知システムにおいて、前記デジタル放送受信機は、前記アナログ電話機が設けられる施設外に設けられることを要旨とする。
【００２０】
このような特徴によれば、アナログ電話機が設けられる施設に停電が生じてもデジタル放送受信機の稼動が停止することを回避できるため、より確実に緊急警報をユーザに通知できる。
【００２１】
本発明に係るデジタル放送受信機（デジタル放送受信機１００）の特徴は、アナログ電話回線（アナログ電話回線４００）を介して少なくとも１つのアナログ電話機（アナログ電話機２００）に接続されるデジタル放送受信機であって、デジタル放送波を受信する放送受信部（チューナ部１１０）と、前記アナログ電話回線を介して前記アナログ電話機と通信可能な回線通信部（モデム部１５０）と、前記放送受信部及び前記回線通信部を制御する制御部（ＣＰＵ１４０）とを具備し、前記制御部は、前記放送受信部が受信したデジタル放送波から緊急警報情報が検出された場合に、前記アナログ電話機に対する発呼を行うよう前記回線通信部を制御し、前記アナログ電話機との間で呼が確立された場合に、前記緊急警報情報に基づく音声信号を前記アナログ電話機に送出するよう前記回線通信部を制御することを要旨とする。
【００２２】
本発明に係る緊急警報通知方法の特徴は、アナログ電話回線を介して少なくとも１つのアナログ電話機に接続されるデジタル放送受信機が、デジタル放送波を受信するステップと、前記デジタル放送受信機が、受信したデジタル放送波から緊急警報情報を検出した場合に、前記アナログ電話機に対する発呼を行うステップと、前記デジタル放送受信機が、前記アナログ電話機との間で呼が確立された場合に、前記緊急警報情報に基づく音声信号を前記アナログ電話機に送出するステップとを具備することを要旨とする。
【発明の効果】
【００２３】
本発明によれば、既存設備を活かしつつ、より確実に緊急警報をユーザに通知できる緊急警報通知システム、デジタル放送受信機、及び緊急警報通知方法を提供できる。
【図面の簡単な説明】
【００２４】
【図１】第１実施形態及び第２実施形態に係る緊急警報通知システムの概略構成を示す概略構成図である。
【図２】第１実施形態及び第２実施形態に係るデジタル放送受信機の構成を示すブロック図である。
【図３】第１実施形態に係る緊急警報通知システムの動作を示す動作シーケンス図である。
【図４】第２実施形態に係る緊急警報通知システムの動作を示す動作シーケンス図である。
【発明を実施するための形態】
【００２５】
図面を参照して、本発明の第１実施形態、第２実施形態、及びその他の実施形態を説明する。以下の各実施形態における図面において、同一又は類似の部分には同一又は類似の符号を付す。
【００２６】
（１）第１実施形態
第１実施形態では、（１．１）緊急警報通知システムの構成、（１．２）デジタル放送受信機の構成、（１．３）緊急警報通知システムの動作、（１．４）第１実施形態の効果、（１．５）第１実施形態の変更例の順に説明する。
【００２７】
（１．１）緊急警報通知システムの構成
図１は、第１実施形態に係る緊急警報通知システム１の概略構成を示す概略構成図である。
【００２８】
図１に示すように、緊急警報通知システム１は、デジタル放送受信機１００と、複数のアナログ電話機２００とを具備する。デジタル放送受信機１００と、複数のアナログ電話機２００のそれぞれとは、アナログ電話回線４００に接続される。
【００２９】
デジタル放送受信機１００は、デジタルテレビジョン放送波を受信する。デジタルテレビジョン放送波では、映像パケット、音声パケット、データパケットがＭＰＥＧ２−ＴＳ方式に従って多重されている。また、デジタルテレビジョン放送波では、映像パケット、音声パケット、データパケットからなる情報信号以外に、ＴＭＣＣ信号と称される制御信号が含まれている。
【００３０】
なお、映像パケットは映像を伝送するためのパケットであり、音声パケットは音声を伝送するためのパケットであり、データパケットは字幕等のデータを伝送するためのパケットである。ＴＭＣＣ信号は、変調方式や符号化率などのパラメータを伝送するための信号である。ＴＭＣＣ信号には、緊急警報放送用起動フラグと称される、緊急警報放送に基づき値が変更されるビットが含まれる。この緊急警報放送用起動フラグの値が“１”である場合、緊急警報放送が行われることから、緊急警報放送用起動フラグによりデジタル放送受信機１００を起動することができる。緊急警報放送用起動フラグの詳細については、社団法人電波産業会、地上デジタルテレビジョン放送運用規定  技術資料  ARIB TR-B14  4.1版  （第三分冊）を参照されたい。以下においては、値が“１”である緊急警報放送用起動フラグを「緊急警報情報」と称する。
【００３１】
デジタル放送受信機１００には、映像を出力するモニタと音声を出力するスピーカとを含む出力装置３００が接続される。ただし、出力装置３００は、デジタル放送受信機１００と一体化されていてもよい。
【００３２】
アナログ電話回線４００は、アナログ音声信号を伝送する有線の電話回線である。アナログ電話回線４００は、局給電と称される仕組みによって、アナログ電話機２００に対する給電を行うことができる。
【００３３】
アナログ電話機２００は、固定型であり、アナログ電話回線４００からの局給電によって、停電時でも使用可能である。アナログ電話機２００のそれぞれには、固有の電話番号が割り振られている。
【００３４】
第１実施形態では、デジタル放送受信機１００は、アナログ電話機２００と同一施設（例えば家屋又はビル等）内に設けられており、アナログ電話機２００と同一地域にあるものとする。
【００３５】
（１．２）デジタル放送受信機の構成
図２は、第１実施形態に係るデジタル放送受信機１００の構成を示すブロック図である。
【００３６】
図２に示すように、デジタル放送受信機１００は、アンテナ１０と接続される入力端子１０１と、アナログ電話回線４００と接続されるアナログ電話端子１０２と、出力装置３００と接続される出力端子１０３とを具備する。また、デジタル放送受信機１００は、入力端子１０１と接続されるチューナ部１１０と、受光部１２０と、フラッシュメモリ１３１と、ＤＲＡＭ１３２と、ＣＰＵ１４０と、アナログ電話端子１０２と接続されるモデム部１５０と、出力端子１０３と接続される映像・音声出力部１６０とを具備する。チューナ部１１０、受光部１２０、フラッシュメモリ１３１、ＤＲＡＭ１３２、モデム部１５０、映像・音声出力部１６０のそれぞれは、ＣＰＵ１４０と接続される。
【００３７】
チューナ部１１０は、入力端子１０１を介して入力されるデジタルテレビジョン放送波に含まれる情報信号を復調してＣＰＵ１４０に出力する。また、チューナ部１１０は、入力端子１０１を介して入力されるデジタルテレビジョン放送波に含まれるＴＭＣＣ信号に従った受信制御を行う。チューナ部１１０は、ＴＭＣＣ信号から緊急警報情報を検出した場合に、その旨をＣＰＵ１４０に通知する。なお、第１実施形態においてチューナ部１１０は、デジタル放送波を受信する放送受信部に相当する。
【００３８】
受光部１２０は、ユーザ操作を受け付けるリモコン２０からの赤外線信号を電気信号に変換してＣＰＵ１４０に出力する。
【００３９】
フラッシュメモリ１３１は、ＣＰＵ１４０によって実行される制御プログラムや、ＣＰＵ１４０における処理で用いられる各種の情報を記憶する。第１実施形態では、フラッシュメモリ１３１は、少なくとも１つのキーワードを記憶する。当該キーワードは、例えば“マグニチュード７”、“マグニチュード８”といった災害の大きさを示すキーワードや、“関東”“東京”といった地域を示すキーワードである。当該キーワードは、ユーザによって設定されてもよく、デジタル放送受信機１００の初期設定と連動させて自動的に設定されてもよい。また、フラッシュメモリ１３１は、少なくとも１つのアナログ電話機２００の電話番号を記憶する。当該電話番号は、ユーザによって設定されてもよい。なお、電話番号には、内線番号が含まれてもよい。第１実施形態においてフラッシュメモリ１３１は、記憶部に相当する。
【００４０】
ＤＲＡＭ１３２は、ＣＰＵ１４０の作業領域として使用される。
【００４１】
ＣＰＵ１４０は、チューナ部１１０から入力される情報信号を再生する機能と、デジタル放送受信機１００全体を制御する機能とを有する。また、ＣＰＵ１４０は、受光部１２０から入力される電気信号に応じた制御を行う。さらに、ＣＰＵ１４０は、緊急警報情報が検出された旨をチューナ部１１０から通知された場合に、フラッシュメモリ１３１に記憶されている情報を用いて、後述する制御を行う。第１実施形態においてＣＰＵ１４０は、制御部に相当する。
【００４２】
モデム部１５０は、アナログ電話端子１０２を介して、アナログ電話回線４００との間でアナログ音声信号を入出力する。第１実施形態においてモデム部１５０は、回線通信部に相当する。
【００４３】
（１．３）緊急警報通知システムの動作
図３は、第１実施形態に係る緊急警報通知システム１の動作を示す動作シーケンス図である。
【００４４】
図３に示すように、ステップＳ１１において、デジタル放送受信機１００のチューナ部１１０は、デジタルテレビジョン放送波に含まれるＴＭＣＣ信号から緊急警報情報を検出する。チューナ部１１０は、緊急警報情報を検出すると、デジタルテレビジョン放送波に含まれる情報信号を復調してＣＰＵ１４０に出力するとともに、緊急警報情報を検出した旨をＣＰＵ１４０に通知する。なお、緊急警報情報が検出された際の情報信号は、緊急放送に対応する映像（映像パケット）・音声（音声パケット）・字幕（データパケット）を含んでいる。
【００４５】
ステップＳ１２において、デジタル放送受信機１００のＣＰＵ１４０は、緊急警報情報が検出された旨をチューナ部１１０から通知されると、チューナ部１１０から入力される情報信号のうち音声パケット及びデータパケットを復号して音声データ及び字幕データを生成し、これらを文字情報に変換する。また、ＣＰＵ１４０は、フラッシュメモリ１３１に記憶されているキーワードを取得し、上記文字情報とのマッチング（一致判定）を行う。ＣＰＵ１４０は、上記文字情報にキーワードが含まれる場合に、処理をステップＳ１３に進める。
【００４６】
ステップＳ１３において、デジタル放送受信機１００のＣＰＵ１４０は、上記音声データをアナログ音声信号に変換する。
【００４７】
ステップＳ１４において、デジタル放送受信機１００のＣＰＵ１４０は、フラッシュメモリ１３１に記憶されている電話番号を取得する。そして、ＣＰＵ１４０は、当該電話番号を用いて発呼を行うようモデム部１５０を制御する。
【００４８】
ステップＳ１５において、アナログ電話機２００は、デジタル放送受信機１００からの着呼に応じて呼出し音を出力する。
【００４９】
ユーザがアナログ電話機２００に対して通話開始操作を行うと、ステップＳ１６において、デジタル放送受信機１００とアナログ電話機２００との間で呼が確立され、通話可能な状態になる。
【００５０】
ステップＳ１７において、デジタル放送受信機１００のＣＰＵ１４０は、確立された呼を用いて上記アナログ音声信号を送出するようモデム部１５０を制御する。アナログ電話機２００は、受信したアナログ音声信号を再生して出力する。
【００５１】
（１．４）第１実施形態の効果
以上説明したように、第１実施形態によれば、デジタル放送受信機１００のＣＰＵ１４０は、チューナ部１１０が受信したデジタル放送波から緊急警報情報が検出された場合に、アナログ電話機２００に対する発呼を行うようモデム部１５０を制御し、アナログ電話機２００との間で呼が確立された場合に、緊急警報情報に基づくアナログ音声信号をアナログ電話機２００に送出するようモデム部１５０を制御する。これにより、デジタルテレビジョン放送による緊急警報に基づき、既存のアナログ電話機２００を用いて緊急警報を通知できる。アナログ電話回線４００は最も一般的な電話回線であり、広く普及している。また、アナログ電話回線４００は有線回線であり、アナログ電話機２００は携帯電話機のように電波圏外にならない。さらに、アナログ電話機２００は、アナログ電話回線４００からの給電（いわゆる局給電）によって、停電時でも使用可能であるため、停電時でも緊急警報を通知可能である。従って、緊急警報通知システム１によれば、既存設備を活かしつつ、より確実に緊急警報をユーザに通知できる。
【００５２】
また、第１実施形態では、デジタル放送受信機１００のＣＰＵ１４０は、緊急警報情報が検出されたデジタル放送波に含まれる音声部分及び／又は字幕部分から、フラッシュメモリ１３１に記憶されたキーワードが検出された場合にのみ、アナログ電話機２００に対する発呼を行うようモデム部１５０を制御する。これにより、通知が必要な緊急警報（すなわち、重要度の高い緊急警報）に限って通知を行うようにすることができる。特に、第１実施形態では、デジタル放送受信機１００はアナログ電話機２００と同一施設内に設けられるため、デジタル放送受信機１００に設定されるキーワードを任意に決定可能である。
【００５３】
さらに、第１実施形態では、デジタル放送受信機１００のＣＰＵ１４０は、アナログ電話機２００との間で呼が確立された場合に、緊急警報情報が検出されたデジタル放送波に含まれる音声部分から得られた音声信号をアナログ電話機２００に送出するようモデム部１５０を制御する。これにより、具体的な緊急警報の内容をユーザに通知可能になる。
【００５４】
（１．５）第１実施形態の変更例
第１実施形態では、デジタル放送受信機１００のＣＰＵ１４０は、アナログ電話機２００との間で呼が確立された場合に、緊急警報情報が検出されたデジタル放送波に含まれる音声部分から得られた音声信号を送出するようモデム部１５０を制御していた。しかしながら、より具体的な緊急警報の内容を通知するためには、当該字幕部分もユーザに通知できることが望ましい。
【００５５】
本変更例では、デジタル放送受信機１００のＣＰＵ１４０は、アナログ電話機２００との間で呼が確立された場合に、緊急警報情報が検出されたデジタル放送波に含まれる音声部分から得られたアナログ音声信号と、緊急警報情報が検出されたデジタル放送波に含まれる字幕部分を音声変換して得られたアナログ音声信号とを交互に送出するようモデム部１５０を制御する。なお、音声部分から得られたアナログ音声信号及び字幕部分から得られたアナログ音声信号の切り替え間隔は、任意に設定可能である。
【００５６】
（２）第２実施形態
次に、第２実施形態について、第１実施形態との相違点を主として説明する。以下、（２．１）緊急警報通知システム及びデジタル放送受信機の構成、（２．２）緊急警報通知システムの動作、（２．３）第２実施形態の効果の順に説明する。
【００５７】
（２．１）緊急警報通知システム及びデジタル放送受信機の構成
第２実施形態に係る緊急警報通知システム１は、図１と同様に構成される。ただし、第２実施形態では、デジタル放送受信機１００は、アナログ電話機２００が設けられる施設外（例えば管理センター等）に設けられる。すなわち、デジタル放送受信機１００は、必ずしもアナログ電話機２００と同一地域にあるとは限らない。
【００５８】
第２実施形態に係るデジタル放送受信機１００は、図２と同様に構成される。ただし、第２実施形態では、デジタル放送受信機１００のフラッシュメモリ１３１は、アナログ電話機２００の電話番号をキーワードと対応付けて記憶する。当該キーワードは、例えば“関東”“東京”といった地域を示すキーワードである。
【００５９】
（２．２）緊急警報通知システムの動作
図４は、第２実施形態に係る緊急警報通知システム１の動作を示す動作シーケンス図である。
【００６０】
図４に示すように、ステップＳ２１において、デジタル放送受信機１００のチューナ部１１０は、デジタルテレビジョン放送波に含まれるＴＭＣＣ信号から緊急警報情報を検出する。チューナ部１１０は、緊急警報情報を検出すると、デジタルテレビジョン放送波に含まれる情報信号を復調してＣＰＵ１４０に出力するとともに、緊急警報情報を検出した旨をＣＰＵ１４０に通知する。なお、緊急警報情報が検出された際の情報信号は、緊急放送に対応する映像（映像パケット）・音声（音声パケット）・字幕（データパケット）を含んでいる。
【００６１】
ステップＳ２２において、デジタル放送受信機１００のＣＰＵ１４０は、緊急警報情報が検出された旨をチューナ部１１０から通知されると、チューナ部１１０から入力される情報信号のうち音声パケット及びデータパケットを復号して音声データ及び字幕データを生成し、これらを文字情報に変換する。また、ＣＰＵ１４０は、フラッシュメモリ１３１に記憶されているキーワードを取得し、上記文字情報とのマッチング（一致判定）を行う。ＣＰＵ１４０は、上記文字情報にキーワードが含まれる場合に、処理をステップＳ２３に進める。
【００６２】
ステップＳ２３において、デジタル放送受信機１００のＣＰＵ１４０は、上記文字情報の中から一致が検出されたキーワードに対応付けられた電話番号をフラッシュメモリ１３１から取得する。例えば、上記文字情報の中からキーワード“東京”が検出された場合、キーワード“東京”と対応付けられた電話番号（すなわち、東京にあるアナログ電話機２００の電話番号）をフラッシュメモリ１３１から取得する。
【００６３】
ステップＳ２４において、デジタル放送受信機１００のＣＰＵ１４０は、上記音声データをアナログ音声信号に変換する。
【００６４】
ステップＳ２５において、デジタル放送受信機１００のＣＰＵ１４０は、ステップＳ２３で取得された電話番号を用いて発呼を行うようモデム部１５０を制御する。
【００６５】
ステップＳ２６において、アナログ電話機２００は、デジタル放送受信機１００からの着呼に応じて呼出し音を出力する。
【００６６】
ユーザがアナログ電話機２００に対して通話開始操作を行うと、ステップＳ２７において、デジタル放送受信機１００とアナログ電話機２００との間で呼が確立され、通話可能な状態になる。
【００６７】
ステップＳ２８において、デジタル放送受信機１００のＣＰＵ１４０は、確立された呼を用いて上記アナログ音声信号を送出するようモデム部１５０を制御する。アナログ電話機２００は、受信したアナログ音声信号を再生して出力する。なお、第１実施形態の変更例と同様に、ＣＰＵ１４０は、上記音声データから得られたアナログ音声信号と、上記字幕データを音声変換して得られたアナログ音声信号とを交互に送出するようモデム部１５０を制御してもよい。
【００６８】
（２．３）第２実施形態の効果
第２実施形態によれば、第１実施形態で説明した効果に加えて、以下のような効果が得られる。
【００６９】
具体的には、デジタル放送受信機１００はアナログ電話機２００が設けられる施設外に設けられるため、アナログ電話機２００が設けられる施設に停電が生じてもデジタル放送受信機１００の稼動が停止することを回避できるため、より確実に緊急警報をユーザに通知できる。
【００７０】
また、第２実施形態では、デジタル放送受信機１００のＣＰＵ１４０は、緊急警報情報が検出されたデジタル放送波に含まれる音声部分及び／又は字幕部分からキーワードが検出された場合に、検出されたキーワードと対応する電話番号を有するアナログ電話機２００に対する発呼を行うようモデム部１５０を制御するため、緊急警報の内容に応じて当該緊急警報の通知先のアナログ電話機２００を選択可能になる。
【００７１】
（３）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【００７２】
例えば、上述した第１実施形態及び第２実施形態は、相互に組み合わせて実施可能である。具体的には、第１実施形態において、フラッシュメモリ１３１が、アナログ電話機２００の電話番号をキーワードと対応付けて記憶し、ＣＰＵ１４０が、緊急警報情報が検出されたデジタル放送波に含まれる音声部分及び／又は字幕部分から、フラッシュメモリ１３１に記憶されたキーワードが検出された場合に、検出されたキーワードと対応する電話番号を有するアナログ電話機２００に対する発呼を行うようモデム部１５０を制御してもよい。
【００７３】
また、上述した第１実施形態及び第２実施形態では、デジタル放送受信機１００は、緊急警報情報が検出されたデジタル放送波に含まれる音声部分から得られた音声信号をアナログ電話機２００に送出していた。しかしながら、デジタル放送受信機１００は、そのような処理に代えて、予めフラッシュメモリ１３１に記憶されている、緊急警報情報が検出された旨の音声信号をアナログ電話機２００に送出してもよい。
【００７４】
さらに、上述した第１実施形態及び第２実施形態では、デジタル放送受信機１００は、外部から供給される電源を用いて駆動されることを想定していたが、デジタル放送受信機１００にバッテリを搭載してもよい。この場合、デジタル放送受信機１００が設けられる施設に停電が生じても、デジタル放送受信機１００の稼動が停止することを回避できる。
【００７５】
上述した第１実施形態及び第２実施形態では、デジタル放送受信機１００は、ＨＤＤ等のコンテンツ蓄積手段を具備していなかったが、ＨＤＤ等のコンテンツ蓄積手段を具備していてもよい。
【００７６】
なお、上述した第１実施形態及び第２実施形態では、ＭＰＥＧ２−ＴＳ方式が採用されるデジタル放送について説明したが、ＭＰＥＧ２−ＴＳ方式以外の方式に対して本発明を適用可能である。また、上述した第１実施形態及び第２実施形態においては、地上波デジタルテレビジョン放送を想定していたが、ＢＳデジタルテレビジョン放送等の他のデジタル放送に対して本発明を適用可能である。
【００７７】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７８】
１…緊急警報通知システム、１０…アンテナ、２０…リモコン、１００…デジタル放送受信機、１０１…入力端子、１０２…アナログ電話端子、１０３…出力端子、１１０…チューナ部、１２０…受光部、１３１…フラッシュメモリ、１３２…ＤＲＡＭ、１４０…ＣＰＵ、１５０…モデム部、１６０…映像・音声出力部、２００…アナログ電話機、３００…出力装置、４００…アナログ電話回線
【図１】
2012054770.tif 000003
【図２】
2012054770.tif 000004
【図３】
2012054770.tif 000005
【図４】
2012054770.tif 000006